(57)【要約】【課題】位置決めされた原稿に隣接して設けられた原稿隣接部材の形成色に拘わらず、光源から該原稿へ光照射する際に、該光源から光を受けた該原稿隣接部材からの光の乱反射による該原稿の読み取り画像への影響を抑制できる原稿読み取り装置を提供する。【解決手段】位置決めされた原稿ＯＲに光照射して該原稿ＯＲからの反射光を読み取る読み取り部１０と、原稿ＯＲに隣接して設けられた原稿隣接部材３００と、読み取り部１０の読み取り動作を制御する制御手段１１０とを備えた原稿読み取り装置において、制御手段１１０は、読み取り部１０を制御して原稿隣接部材３００の原稿隣接端部領域βに光照射して該領域βからの反射光を原稿隣接端部領域用出力値として読み取り、該出力値に基づき、原稿ＯＲの隣接端部領域αに対応する読み取り画像を補正する。【選択図】図８
2009017375.tif 000002
【特許請求の範囲】
【請求項１】
位置決めされた原稿に光照射して該原稿からの反射光を読み取る読み取り部と、
前記原稿に隣接して設けられた原稿隣接部材と、
前記読み取り部の読み取り動作を制御する制御手段とを備え、
前記制御手段は、前記読み取り部を制御して前記原稿隣接部材の前記原稿に隣接する原稿隣接端部領域に光照射して該原稿隣接端部領域からの反射光を原稿隣接端部領域用出力値として読み取り、該読み取った原稿隣接端部領域用出力値に基づき、前記原稿の前記原稿隣接部材との隣接端部領域に対応する読み取り画像を補正するための補正値を設定し、該設定した補正値に基づき前記原稿の前記読み取り画像を補正することを特徴とする原稿読み取り装置。
【請求項２】
請求項１記載の原稿読み取り装置において、
前記制御手段は、前記補正値として、前記原稿隣接端部領域用出力値に基づいて前記原稿の前記原稿隣接部材との隣接端部領域に対応する読み取り画像の濃度を補正するための濃度用補正値を設定し、該設定した濃度用補正値に基づき前記原稿の前記読み取り画像の濃度を補正することを特徴とする原稿読み取り装置。
【請求項３】
請求項１又は２記載の原稿読み取り装置において、
前記制御手段は、前記補正値として、前記原稿隣接端部領域用出力値に基づいて前記原稿の前記原稿隣接部材との隣接端部領域に対応する読み取り画像の色調を補正するための色調用補正値を設定し、該設定した色調用補正値に基づき前記原稿の前記読み取り画像の色調を補正することを特徴とする原稿読み取り装置。
【請求項４】
請求項１から３のいずれか一つに記載の原稿読み取り装置において、
前記制御手段は、前記原稿の読み取り時に、前記原稿隣接部材の前記原稿隣接端部領域からの反射光を読み取り、該読み取った原稿隣接端部領域用出力値に基づき、前記原稿の前記原稿隣接部材との隣接端部領域に対応する読み取り画像を補正するための補正値を設定し、該設定した補正値に基づき前記原稿の前記読み取り画像を補正することを特徴とする原稿読み取り装置。
【請求項５】
請求項４記載の原稿読み取り装置において、
基準画像を読み取るための基準画像用部材をさらに備え、
前記制御手段は、前記原稿の読み取り時に、前記基準画像用部材、前記原稿隣接部材の前記原稿隣接端部領域及び前記原稿をこの順で順次連続的に読み取り、シェーディング補正と、前記原稿の前記読み取り画像の補正とを実施することを特徴とする原稿読み取り装置。
【請求項６】
請求項１から５のいずれか一つに記載の原稿読み取り装置において、
前記制御手段は、前記原稿隣接部材の前記原稿隣接端部領域からの反射光を原稿隣接端部領域用出力値として読み取り、該読み取った原稿隣接端部領域用出力値に基づき、前記原稿の前記原稿隣接部材との隣接端部領域に対応する読み取り画像を補正するための補正値を設定する調整モードを備えていることを特徴とする原稿読み取り装置。
【請求項７】
請求項１から６のいずれか一つに記載の原稿読み取り装置において、
前記制御手段は、前記原稿隣接端部領域用出力値と前記補正値とを対応づけて記憶するテーブルを備え、前記原稿隣接端部領域用出力値を前記テーブルによって前記補正値に変換することを特徴とする原稿読み取り装置。
【発明の詳細な説明】
【技術分野】
【０００１】
本発明は、原稿読み取り装置に関する。
【背景技術】
【０００２】
位置決めされた原稿に光照射して該原稿からの反射光を読み取る原稿読み取り装置は、従来より複写機や複合機等の画像形成装置などに多用されている（例えば、下記特許文献１参照）。かかる従来の原稿読み取り装置では、次のような不都合がある。図１０は、位置決めされた原稿ＯＲに光照射して該原稿ＯＲからの反射光を読み取る従来の原稿読み取り装置の一例における原稿の画像読み取り状態を拡大して示す概略図である。
【０００３】
図１０に示す従来の原稿読み取り装置では、透明なガラス板からなるプラテン板４上に原稿ＯＲが載置されると共に、原稿ＯＲの副走査方向（図中左右方向Ｘ）の位置を位置決めする位置決め板３００に原稿ＯＲの副走査方向Ｘの上流側端部が当接された状態で原稿ＯＲの画像を、読み取り部１０によって、読み取るようになっている。
【０００４】
即ち、読み取り部１０では、原稿ＯＲの画像を読み取るにあたり、原稿ＯＲが前記の如く位置決めされた状態で、光源１１及び第１ミラー１２ａを保持する光源ユニット１５と、第２ミラー１２ｂ及び第３ミラー１２ｃを保持するミラーユニット１６とが、ホームポジションにそれぞれ移動した後、光源ユニット１５が、原稿ＯＲに対して光源１１から光を照射しながらミラーユニット１６と共に副走査方向Ｘに移動して原稿ＯＲの画像を走査する。
【０００５】
光源ユニット１５の光源１１から光照射された原稿ＯＲからの反射光Ｒは、光源ユニット１５に設けられた第１ミラー１２ａで反射したのち、ミラーユニット１６の第２及び第３ミラー１２ｂ，１２ｃで反射する。そして、第３ミラー１２ｃで反射した光Ｒは、レンズ（図示省略）を介してＣＣＤ（Charge Coupled Devices）等の撮像素子（図示省略）に結像し、ここで原稿画像が読み取られて電気的な画像データに変換される。
【０００６】
このような従来の原稿読み取り装置では、光源１１から原稿ＯＲへ光照射する際に、原稿ＯＲに隣接して設けられた原稿隣接部材（図示の例では、原稿ＯＲの副走査方向Ｘ上流側に隣接して配置された原稿位置決め板）３００が光源１１から受けた光Ｓの反射光Ｓ’の乱反射によって、原稿隣接部材３００の形成色が原稿ＯＲの原稿隣接部材３００との隣接端部領域αに対応する読み取り画像に影響を及ぼすことがある。
【０００７】
例えば、原稿隣接部材３００が比較的濃度の高い成形色の材料で成形したものである場合、原稿隣接部材３００の原稿ＯＲに隣接する原稿隣接端部領域βで受けた光Ｓの反射光Ｓ’が乱反射して原稿ＯＲの原稿隣接部材３００との隣接端部領域αに照射されるため、原稿ＯＲの隣接端部領域αへの照射光の照度が低下して原稿ＯＲの隣接端部領域αに対応する読み取り画像が暗くなったり、或いは、原稿隣接部材３００の成形色の影響を受けて原稿ＯＲの隣接端部領域αに対応する読み取り画像の色調が変化したりするといった不都合が生じることがある。また、原稿隣接部材３００の形成色が経年変化した場合も同様の不都合が生じ得る。
【０００８】
なお、原稿ＯＲの原稿隣接部材３００との隣接端部領域αとは、光源１１から原稿ＯＲへの光照射の際に、原稿隣接部材３００によって原稿ＯＲの読み取り画像が影響を受け得る領域をいい、また、原稿隣接部材３００の原稿ＯＲに隣接する原稿隣接端部領域βとは、光源１１から原稿ＯＲへの光照射の際に、受けた光によって原稿ＯＲの読み取り画像へ影響を及ぼし得る領域をいう。
【特許文献１】特開平２−１９９４４７号公報
【発明の開示】
【発明が解決しようとする課題】
【０００９】
そこで、本発明は、位置決めされた原稿に隣接して設けられた原稿隣接部材の形成色に拘わらず、光源から該原稿へ光照射する際に、該光源から光を受けた該原稿隣接部材からの光の乱反射による該原稿の読み取り画像への影響を抑制できる原稿読み取り装置を提供することを課題とする。
【課題を解決するための手段】
【００１０】
本発明は、前記課題を解決するために、位置決めされた原稿に光照射して該原稿からの反射光を読み取る読み取り部と、前記原稿に隣接して設けられた原稿隣接部材と、前記読み取り部の読み取り動作を制御する制御手段とを備え、前記制御手段は、前記読み取り部を制御して前記原稿隣接部材の前記原稿に隣接する原稿隣接端部領域に光照射して該原稿隣接端部領域からの反射光を原稿隣接端部領域用出力値として読み取り、該読み取った原稿隣接端部領域用出力値に基づき、前記原稿の前記原稿隣接部材との隣接端部領域に対応する読み取り画像を補正するための補正値を設定し、該設定した補正値に基づき前記原稿の前記読み取り画像を補正することを特徴とする原稿読み取り装置を提供する。
【００１１】
本発明に係る原稿読み取り装置によれば、前記制御手段は、前記読み取り部を制御して前記原稿隣接部材の前記原稿隣接端部領域に光照射して該原稿隣接端部領域からの反射光を原稿隣接端部領域用出力値として読み取り、該原稿隣接端部領域用出力値に基づき、前記原稿の前記隣接端部領域に対応する読み取り画像を補正するための補正値を設定し、該補正値に基づき前記原稿の前記読み取り画像を補正するので、前記原稿隣接部材の形成色に拘わらず、前記光源から該原稿へ光照射する際に、該光源から光を受けた該原稿隣接部材からの光の乱反射による該原稿の読み取り画像への影響を抑制することができる。
【００１２】
前記制御手段の具体的な制御構成としては、次の態様を例示できる。即ち、
（ａ）前記制御手段は、前記補正値として、前記原稿隣接端部領域用出力値に基づいて前記原稿の前記原稿隣接部材との隣接端部領域に対応する読み取り画像の濃度を補正するための濃度用補正値を設定し、該設定した濃度用補正値に基づき前記原稿の前記読み取り画像の濃度を補正する態様、
（ｂ）前記制御手段は、前記補正値として、前記原稿隣接端部領域用出力値に基づいて前記原稿の前記原稿隣接部材との隣接端部領域に対応する読み取り画像の色調を補正するための色調用補正値を設定し、該設定した色調用補正値に基づき前記原稿の前記読み取り画像の色調を補正する態様、
（ｃ）前記（ａ）及び（ｂ）の態様を組み合わせた態様である。
【００１３】
本発明に係る原稿読み取り装置において、前記制御手段は、前記原稿の読み取り時に、前記原稿隣接部材の前記原稿隣接端部領域からの反射光を読み取り、該読み取った原稿隣接端部領域用出力値に基づき、前記原稿の前記原稿隣接部材との隣接端部領域に対応する読み取り画像を補正するための補正値を設定し、該設定した補正値に基づき前記原稿の前記読み取り画像を補正してもよい。この場合、基準画像を読み取るための基準画像用部材をさらに備え、前記制御手段は、前記原稿の読み取り時に、前記基準画像用部材、前記原稿隣接部材の前記原稿隣接端部領域及び前記原稿をこの順で順次連続的に読み取り、シェーディング補正と、前記原稿の前記読み取り画像の補正とを実施することが好ましい。
【００１４】
また、本発明に係る原稿読み取り装置において、前記制御手段は、前記原稿隣接部材の前記原稿隣接端部領域からの反射光を原稿隣接端部領域用出力値として読み取り、該読み取った原稿隣接端部領域用出力値に基づき、前記原稿の前記原稿隣接部材との隣接端部領域に対応する読み取り画像を補正するための補正値を設定する調整モードを備えていてもよい。この場合、例えば、ユーザーやメンテナンス作業者等の人為操作によって所定の時期（例えば、原稿の読み取り枚数が所定枚数に達したとき）に前記調整モードを実行することができる。
【００１５】
また、本発明に係る原稿読み取り装置において、前記制御手段は、前記原稿隣接端部領域用出力値と前記補正値とを対応づけて記憶するテーブルを備え、前記原稿隣接端部領域用出力値を前記テーブルによって前記補正値に変換することが好ましい。
【発明の効果】
【００１６】
以上説明したように、本発明によると、位置決めされた原稿に隣接して設けられた原稿隣接部材の形成色に拘わらず、光源から該原稿へ光照射する際に、該光源から光を受けた該原稿隣接部材からの光の乱反射による該原稿の読み取り画像への影響を抑制できる原稿読み取り装置を提供することができる。
【発明を実施するための最良の形態】
【００１７】
以下、本発明の実施形態について添付図面を参照しつつ説明する。なお、以下の実施の形態は、本発明を具体化した一例であって、本発明の技術的範囲を限定する性格のものではない。
［原稿読み取り装置の全体構成について］
図１は、本発明の一実施形態に係る原稿読み取り装置１００の全体の外観を示す斜視図である。また、図２は、図１に示す原稿読み取り装置１００の概略構成を示す断面図である。
【００１８】
この原稿読み取り装置１００は、原稿を原稿搬送路Ｆに沿って自動的に搬送する自動原稿送り装置（以下、「ＡＤＦ」と称する）１と、搬送されてきた原稿又は位置決めされた原稿ＯＲの表面（第１面）側の画像を読み取る第１画像読み取り部（読み取り部の一例）１０と、搬送されてきた原稿の裏面（第２面）側の画像を読み取る第２画像読み取り部２０とを備えている。第１画像読み取り部１０は、位置決めされた原稿ＯＲの画像を読み取る場合には、光源１１にて原稿ＯＲに光照射しつつ該原稿ＯＲを光学的に走査して該原稿ＯＲからの反射光を画像データとして読み取るように構成されている。詳しくは、第１画像読み取り部１０は、光源１１、ミラー群（ここでは第１〜第３ミラー１２ａ，１２ｂ，１２ｃ）、レンズ１３及びＣＣＤ（イメージセンサ）等の撮像素子１４から構成される縮小光学系の読み取り部である。第２画像読み取り部２０は、光源２１、ミラー群（ここでは第１〜第４ミラー２２ａ，２２ｂ，２２ｃ，２２ｄ）、レンズ２３及びＣＣＤ（イメージセンサ）等の撮像素子２４から構成される縮小光学系の読み取り部である。なお、第２画像読み取り部２０は、光源２１、第１〜第４ミラー２２ａ，２２ｂ，２２ｃ，２２ｄ、レンズ２３及び撮像素子２４が１つの集合体をなすようにユニット化されている。
【００１９】
原稿読み取り装置１００は複写機（図示せず）の上部に設けられるもので、主として第２画像読み取り部２０を収納するＡＤＦ１、及び第１画像読み取り部１０を収容する原稿走査部２から構成されている。
【００２０】
ＡＤＦ１及び原稿走査部２はヒンジ（図示せず）によって連結され、ＡＤＦ１はヒンジの回動によって原稿走査部２に対して開閉可能となっている。そして、ＡＤＦ１の下面は、原稿走査部２のプラテン板４上に載置された読み取り原稿ＯＲを上から押さえる押さえ板２８となっている。
【００２１】
原稿走査部２は、主として筐体３、透明なガラス板からなるプラテン板４、筐体３内に収容される第１画像読み取り部１０から構成されている。
【００２２】
第１画像読み取り部１０は、主として光源１１及び第１ミラー１２ａを保持する光源ユニット１５、第２ミラー１２ｂ及び第３ミラー１２ｃを保持するミラーユニット１６、レンズ１３及び撮像素子１４から構成されている。
【００２３】
原稿走査部２は、ユーザーが原稿ＯＲをプラテン４上に載置して原稿画像の読み取りを行う原稿固定方式による画像読み取りと、ＡＤＦ１によって自動的に原稿を搬送しながら原稿画像を読み取る原稿移動方式の両方式に対応している。
【００２４】
原稿固定方式によって原稿画像を読み取る場合、光源ユニット１５とミラーユニット１６は、原稿固定方式に対応したホームポジションにそれぞれ移動する。その後、光源ユニット１５は原稿ＯＲに対して光を照射しながら一定の速度で副走査方向（図中Ｘ方向）に移動して原稿ＯＲの画像を走査し、それと同時にミラーユニット１６は光源ユニット１５の移動速度の１／２の移動速度で同じく副走査方向に移動する。
【００２５】
光源ユニット１５の光源１１から光照射された原稿ＯＲからの反射光は、光源ユニット１５に設けられた第１ミラー１２ａで反射したのち、ミラーユニット１６の第２及び第３ミラー１２ｂ，１２ｃによって１８０°光路変換され、第３ミラー１２ｃから反射された光はレンズ１３を介して撮像素子１４に結像し、ここで原稿画像が読み取られて電気的な画像データに変換される。
【００２６】
一方、原稿移動方式によって原稿画像を読み取る場合、光源ユニット１５及びミラーユニット１６は、図２に示される位置に静止したまま、ＡＤＦ１によって図２に示される位置の上部を通過するように副走査方向Ｘに搬送される原稿に対して光源１１から光を照射して原稿画像を走査し、原稿の表面側から反射された光は、上述の原稿固定方式と同様に第１ミラー１２ａによって反射された後、ミラーユニット１６の第２及び第３ミラー１２ｂ，１２ｃによって１８０°光路変換され、レンズ１３を介して撮像素子１４に結像し、ここで原稿画像が読み取られて電気的な画像データに変換される。
【００２７】
ＡＤＦ１は、主として原稿載置台５に載置された原稿を１枚ずつ本体内部へ呼び込む呼び込みローラ６、呼び込まれた原稿を原稿搬送路Ｆに沿って搬送する複数対の搬送ローラ７、給紙タイミングを調節するレジストローラ８、画像読み取りを終えた原稿を排紙トレイ３０へ排出する排紙ローラ９から構成され、ユニット化された第２画像読み取り部２０が略Ｕ字状に弧を描く原稿搬送路Ｆ内に収まるように配設されている。
【００２８】
第２画像読み取り部２０は、主として光源２１を保持する光源ホルダー２５、第１ミラー２２ａ、第２ミラー２２ｂ、第３ミラー２２ｃ、第４ミラー２２ｄ、レンズ２３及び撮像素子２４から構成され、これらの各部材は１つの集合体をなすようにユニット用筐体２６に収容されることによりユニット化されている。なお、第２画像読み取り部２０において、光源ホルダー２５に保持された光源２１、レンズ２３、撮像素子２４は、第１画像読み取り部１０を構成するそれらと同一のものである。
【００２９】
上述の通り、第２画像読み取り部２０は、ユーザーから両面読み取りの要求がなされた際に、原稿搬送路Ｆを搬送される原稿の裏面側の画像を読み取る。具体的には、第１画像読み取り部１０によって原稿の表面側の画像が読み取られた後、該原稿は原稿搬送路Ｆに沿って排出トレイ３０へ向けて副走査方向Ｘに搬送される間に、第２画像読み取り部２０の光源ホルダー２５の下部を通過する。この際に第２画像読み取り部２０の光源２１は原稿の裏面側へ向けて光を照射し、原稿の裏面側から反射された光は、第１〜第４ミラー２２ａ，２２ｂ，２２ｃ，２２ｄによって順次光路変換された後、レンズ２３を介して撮像素子２４に結像し、ここで原稿画像が読み取られて電気的な画像データに変換される。
【００３０】
この原稿読み取り装置１００は、原稿固定方式によって原稿画像を読み取る場合、位置決めされた原稿ＯＲに隣接して設けられた原稿隣接部材３００をさらに備えている。
【００３１】
詳しくは、原稿隣接部材３００は、位置決めされた原稿ＯＲの副走査方向Ｘ上流側に隣接して設けられている。即ち、原稿隣接部材３００は、光源１１から原稿ＯＲへ光照射する際に光源１１からの光を受けるようになっている。原稿隣接部材３００は、ここでは、原稿ＯＲの副走査方向Ｘの位置を位置決めする位置決め板とされている。この位置決め板３００は、原稿ＯＲ面に沿った副走査方向Ｘに直交する方向に延びており、プラテン板４の副走査方向Ｘの上流側端部（副走査開始側端部）に設けられている。そして、第１画像読み取り部１０は、原稿ＯＲの副走査方向Ｘの上流側端部が位置決め板３００に当接された状態で原稿ＯＲの画像を読み取るようになっている。なお、位置決め板３００には、原稿移動方式によって原稿画像を読み取る際に、ＡＤＦ１によって搬送される原稿に対して光源１１からの光を照射できるように貫通孔が設けられている。
［原稿画像の読み取り制御について］
次に、図１及び図２に示す原稿読み取り装置１００における制御手段１１０による原稿固定方式での原稿画像の読み取り制御について説明する。図３は、図１及び図２に示す原稿読み取り装置１００の電気的構成の主要部を概略的に示すブロック図である。
【００３２】
図１及び図２に示す原稿読み取り装置１００は、主として制御部１０１、スキャナ部１０２、画像処理部１０３、記憶部１０４、通信部１０５、操作パネル部１０６、原稿走査部駆動モータ１０７ａを駆動制御するドライバ１０７、原稿搬送ローラ駆動モータ１０８ａを駆動制御するドライバ１０８から構成されている。なお、制御手段１１０は、ここでは、制御部１０１、画像処理部１０３及び記憶部１０４から構成されている。
【００３３】
制御部１０１は、装置全体の動作制御を管理する部分であり、図示は省略しているがＣＰＵ、ＲＯＭ、ＲＡＭ等によって構成されている。
【００３４】
スキャナ部１０２は、図２に示す第１及び第２画像読み取り部１０，２０の光学走査系を構成する。第１及び第２画像読み取り部１０，２０の撮像素子１４，２４は、上記の如く光学縮小方式のＣＣＤとしてもよいし、等倍光学方式のＣＩＳ（Contact Image Sensor）としてもよい。
【００３５】
画像処理部１０３は、第１画像読み取り部１０または第２画像読み取り部２０で読み取った光学データを、ページ単位で電気的な画像データに変換する。
【００３６】
記憶部１０４は、例えばＲＡＭ、ＥＥＰＲＯＭ、ハードディスク、ＭＯなどで構成され、制御部１０１によって制御される制御中のデータ、入力された各種指示内容を記憶する。また、記憶部１０４は、スキャナ部１０２で読み取った原稿画像を記憶する原稿画像記憶部、変換された文字列のコードからなる文書を記憶する文書記憶部として機能する領域を備えている。
【００３７】
通信部１０５は、接続されたコンピュータやプリンタといった外部機器２００との間で双方向通信を行う通信部であり、画像処理部１０３で画像処理したデータを外部機器２００に送信する。また、外部機器２００から送信されてきたデータを本装置が扱えるデータに展開するためのメモリを備えている。
【００３８】
操作パネル部１０６は、図示は省略しているが、図１に示す原稿読み取り装置１００の手前側に配置される。具体的には、原稿走査部２をＡＤＦ１より手前側まで拡張し、その上面部分に配置される。操作パネル部１０６は、原稿読み取りスタートの指示や後述する調整モードの指示を行う人為操作可能な入力手段を備えている。
【００３９】
原稿走査部駆動モータ１０７ａは、原稿固定方式によって原稿画像を読み取る場合に、光源ユニット１５及びミラーユニット１６を適宜の速度で副走査方向Ｘに移動させるためのモータであり、制御部１０１の制御により、ドライバ１０７によって適宜駆動制御される。
【００４０】
原稿搬送ローラ駆動モータ１０８ａは、原稿搬送路Ｆに配置された呼び込みローラ６、搬送ローラ７、レジストローラ８、排紙ローラ９などの各ローラを駆動するモータであり、制御部１０１の制御により、ドライバ１０８によって適宜駆動制御される。
【００４１】
図４は、図１及び図２に示す原稿読み取り装置１００において、原稿固定方式によって原稿画像を読み取る場合に、原稿隣接部材３００の原稿ＯＲに隣接する原稿隣接端部領域βからの反射光Ｒ’の読み取り状態を拡大して示す概略図である。
【００４２】
制御部１０１は、第１画像読み取り部１０を制御して原稿隣接部材３００の原稿ＯＲに隣接する原稿隣接端部領域βに光照射して該原稿隣接端部領域βからの反射光Ｒ’を原稿隣接端部領域用出力値として読み取る読み取り手段を備えるように構成されている。
【００４３】
詳しくは、第１画像読み取り部１０において、光源ユニット１５のホームポジションは、原稿隣接部材３００の原稿隣接端部領域βに対応する第１読み取り位置Ｐ１又は該第１読み取り位置Ｐ１よりも副走査方向Ｘ上流側に位置するようになっている。
【００４４】
制御部１０１は、光源ユニット１５のホームポジションが第１読み取り位置Ｐ１のときは、前記読み取り手段によって、その位置で光源１１から光照射された原稿隣接端部領域βからの反射光Ｒ’を原稿隣接端部領域用出力値として読み取ることができる。
【００４５】
また、制御部１０１は、光源ユニット１５のホームポジションが第１読み取り位置Ｐ１よりも副走査方向Ｘ上流側に位置するときは、前記読み取り手段によって、光源ユニット１５を該ホームポジションから副走査方向Ｘに移動させつつ、該ホームポジションから第１読み取り位置Ｐ１までの距離と光源ユニット１５の移動速度によって算出されるタイミングで、光源１１から光照射された原稿隣接端部領域βからの反射光Ｒ’を原稿隣接端部領域用出力値として読み取ることができる。
【００４６】
また、制御部１０１は、前記読み取り手段にて読み取った原稿隣接端部領域用出力値に基づき、原稿ＯＲの原稿隣接部材３００との隣接端部領域αに対応する読み取り画像を補正するための補正値を設定する設定手段を備えるように構成されている。この補正値については、のちほど詳述する。
【００４７】
さらに、画像処理部１０３は、前記設定手段にて設定した補正値に基づき原稿ＯＲの隣接端部領域αに対応する読み取り画像を補正するように構成されている。
【００４８】
このように原稿読み取り装置１００によれば、原稿隣接部材３００の原稿隣接端部領域βからの反射光を原稿隣接端部領域用出力値として読み取り、該読み取った原稿隣接端部領域用出力値に基づき、原稿ＯＲの隣接端部領域αに対応する読み取り画像を補正するための補正値を設定し、該設定した補正値に基づき、原稿ＯＲの隣接端部領域αに対応する読み取り画像を補正するので、例えば、原稿隣接部材３００が比較的濃度の高い成形色の材料で成形したものである場合であっても、位置決めされた原稿ＯＲの隣接端部領域αに対応する読み取り画像が暗くなったり、或いは、原稿隣接部材３００の成形色の影響を受けて原稿ＯＲの隣接端部領域αに対応する読み取り画像の色調が変化したりするといった不都合を抑制することができる。また、原稿隣接部材３００の形成色が経年変化した場合であっても、位置決めされた原稿ＯＲの隣接端部領域αに対応する読み取り画像の濃度及び色調を適切に補正することができる。
【００４９】
制御手段１１０による原稿画像の読み取り制御についてさらに説明すると、制御部１０１は、前記読み取り手段によって、原稿ＯＲの読み取り動作の時に、原稿隣接部材３００の原稿隣接端部領域βからの反射光を読み取り、前記設定手段によって、前記読み取り手段で読み取った原稿隣接端部領域用出力値に基づき、原稿ＯＲの隣接端部領域αに対応する読み取り画像を補正するための補正値を設定することができる。さらに、画像処理部１０３は、前記設定手段で設定した補正値に基づき原稿ＯＲの隣接端部領域αに対応する読み取り画像を補正することができる。この場合、制御部１０１は、前記読み取り手段によって、原稿の読み取り動作の時に、原稿隣接部材３００の原稿隣接端部領域β及び原稿ＯＲをこの順で順次連続的に読み取ることができる。
【００５０】
原稿読み取り装置１００は、基準画像を読み取るための基準画像用部材３０１をさらに備えていてもよい。この場合、基準画像用部材３０１は、例えば、成形色が白色である基準白板とされる。
【００５１】
図５は、図１及び図２に示す原稿読み取り装置１００において、基準画像用部材３０１を備える場合に、基準画像用部材３０１からの反射光Ｒ”の読み取り状態を拡大して示す概略図である。
【００５２】
図５に示すように、基準画像用部材３０１は、原稿隣接部材３００の第１読み取り位置Ｐ１よりも副走査方向Ｘ上流側に設けられている。光源ユニット１５のホームポジションは、基準画像用部材３０１に対応する第２読み取り位置Ｐ２又は該第２読み取り位置Ｐ２よりも副走査方向Ｘ上流側に位置するようになっている。
【００５３】
制御部１０１は、光源ユニット１５のホームポジションが第２読み取り位置Ｐ２のときは、前記読み取り手段によって、その位置で光源１１から光照射された基準画像用部材３０１からの反射光Ｒ”を基準画像用出力値として読み取ることができる。
【００５４】
また、制御部１０１は、光源ユニット１５のホームポジションが第２読み取り位置Ｐ２よりも副走査方向Ｘ上流側に位置するときは、前記読み取り手段によって、光源ユニット１５を該ホームポジションから副走査方向Ｘに移動させつつ、該ホームポジションから第２読み取り位置Ｐ２までの距離と光源ユニット１５の移動速度によって算出されるタイミングで、光源１１から光照射された基準画像用部材３０１からの反射光Ｒ”を基準画像用出力値として読み取ることができる。
【００５５】
そして、制御部１０１は、例えば、前記読み取り手段によって、原稿ＯＲの読み取り動作の時に、基準画像用部材３０１、原稿隣接部材３００の原稿隣接端部領域β及び原稿ＯＲをこの順で順次連続的に読み取るように構成される。さらに、画像処理部１０３は、前記読み取り手段で読み取った基準画像によるシェーディング補正と、原稿ＯＲの隣接端部領域αに対応する読み取り画像の補正とを実施するように構成される。こうすることで、原稿ＯＲの読み取り時での光源ユニット１５の一連の動作によってシェーディング補正及び原稿ＯＲの隣接端部領域αに対応する読み取り画像の補正を効率的に行うことができる。
【００５６】
なお、シェーディング補正は、照度ムラ、照明ムラ、或いは、レンズの明るさムラなど低周波のムラを基準画像用出力値に基づき、画像処理等によって、一様化するものであり、一般的に多用されていることから、ここでは詳しい説明は省略する。
［補正値の説明］
次に、原稿ＯＲの隣接端部領域αに対応する読み取り画像のための補正値について説明する。
【００５７】
原稿画像をモノクロ画像として読み取る場合、前記補正値は、例えば、原稿ＯＲの隣接端部領域αに対応する読み取り画像の濃度を補正するための濃度用補正値とされる。この場合、制御部１０１は、前記設定手段によって、前記読み取り手段で読み取った原稿隣接端部領域用出力値に基づき、原稿ＯＲの隣接端部領域αに対応する読み取り画像の濃度を補正するための濃度用補正値を設定するように構成される。さらに、画像処理部１０３は、前記設定手段で設定した濃度用補正値に基づき原稿ＯＲの隣接端部領域αに対応する読み取り画像の濃度を補正するように構成される。
【００５８】
また、原稿画像をカラー画像として読み取る場合、前記補正値は、例えば、原稿ＯＲの隣接端部領域αに対応する読み取り画像の色調を補正するための色調用補正値とされる。この場合、制御部１０１は、前記設定手段によって、前記読み取り手段で読み取った原稿隣接端部領域用出力値に基づき、原稿ＯＲの隣接端部領域αに対応する読み取り画像の色調を補正するための色調用補正値を設定するように構成される。さらに、画像処理部１０３は、前記設定手段で設定した色調用補正値に基づき原稿ＯＲの隣接端部領域αに対応する読み取り画像の色調を補正するように構成される。
【００５９】
前記補正値は、前記原稿隣接端部領域用出力値から記憶部１０４における変換式によって求めてもよいし、記憶部１０４におけるテーブルに予め記憶しておいてもよい。即ち、前記補正値は、前記原稿隣接端部領域用出力値に対応づけて前記テーブルに予め記憶しておくことができる。
【００６０】
図６は、原稿画像をモノクロ画像として読み取る場合での原稿ＯＲの隣接端部領域αに対応する読み取り画像の濃度を補正するための濃度用補正値を前記原稿隣接端部領域用出力値に対応づけて記憶する濃度補正テーブルを示す図である。
【００６１】
図６に示すように、濃度補正テーブルには、原稿隣接部材３００の原稿隣接端部領域βを読み取って得た原稿隣接端部領域用出力値ｘ１，ｘ２，ｘ３に対応して濃度用補正値ｙ１，ｙ２，ｙ３を予め記憶することができる。
【００６２】
制御部１０１は、前記設定手段において、原稿隣接端部領域用出力値ｘ１，ｘ２，ｘ３を濃度補正テーブルによって濃度用補正値ｙ１，ｙ２，ｙ３に変換することができる。そして、画像処理部１０３は、この濃度用補正値に基づき（例えば、輝度で示される原稿隣接端部領域用出力値に濃度用補正値を加算して）、原稿ＯＲの隣接端部領域αに対応する読み取り画像の濃度を低下(輝度を上昇)させることができる。
【００６３】
また、図７は、原稿画像をカラー画像として読み取る場合での原稿ＯＲの隣接端部領域αに対応する読み取り画像の色調を補正するための色調用補正値を前記原稿隣接端部領域用出力値に対応づけて記憶する色調補正テーブルを示す図である。
【００６４】
図７に示すように、色調補正テーブルには、原稿隣接部材３００の原稿隣接端部領域βを読み取って得たＲ（赤色）成分の赤色用原稿隣接端部領域用出力値Ｒ１，Ｒ２，Ｒ３に対応して赤色用補正値Ｒ１’，Ｒ２’，Ｒ３’を予め記憶することができる。また、色調補正テーブルには、原稿隣接部材３００の原稿隣接端部領域βを読み取って得たＧ（緑色）成分の緑色用原稿隣接端部領域用出力値Ｇ１，Ｇ２，Ｇ３に対応して緑色用補正値Ｇ１’，Ｇ２’，Ｇ３’を予め記憶することができる。さらに、色調補正テーブルには、原稿隣接部材３００の原稿隣接端部領域βを読み取って得たＢ（青色）成分の青色用原稿隣接端部領域用出力値Ｂ１，Ｂ２，Ｂ３に対応して青色用補正値Ｂ１’，Ｂ２’，Ｂ３’を予め記憶することができる。
【００６５】
Ｒ成分を補正する際には、制御部１０１は、前記設定手段において、赤色用原稿隣接端部領域用出力値Ｒ１，Ｒ２，Ｒ３を色調補正テーブルによって赤色用補正値Ｒ１’，Ｒ２’，Ｒ３’に変換することができる。そして、画像処理部１０３は、この赤色用補正値に基づき（例えば、輝度で示される赤色用原稿隣接端部領域用出力値に赤色用補正値を加算して）、原稿ＯＲの隣接端部領域αに対応する読み取り画像のＲ成分輝度を上昇させることができる。
【００６６】
Ｇ（緑色）成分、Ｂ（青色）成分についても同様に補正を実施することができる。即ち、Ｇ成分を補正する際には、制御部１０１は、前記設定手段において、緑色用原稿隣接端部領域用出力値Ｇ１，Ｇ２，Ｇ３を色調補正テーブルによって緑色用補正値Ｇ１’，Ｇ２’，Ｇ３’に変換することができる。そして、画像処理部１０３は、この緑色用補正値に基づき（例えば、輝度で示される緑色用原稿隣接端部領域用出力値に緑色用補正値を加算して）、原稿ＯＲの隣接端部領域αに対応する読み取り画像のＧ成分輝度を上昇させることができる。また、制御部１０１は、前記設定手段において、青色用原稿隣接端部領域用出力値Ｂ１，Ｂ２，Ｂ３を色調補正テーブルによって青色用補正値Ｂ１’，Ｂ２’，Ｂ３’に変換することができる。そして、画像処理部１０３は、この青色用補正値に基づき（例えば、輝度で示される青色用原稿隣接端部領域用出力値に青色用補正値を加算して）、原稿ＯＲの隣接端部領域αに対応する読み取り画像のＢ成分輝度を上昇させることができる。
［動作フローの一例の説明］
次に、原稿画像の読み取り制御の動作フローの一例を説明する。図８は、図１及び図２に示す原稿読み取り装置１００において、原稿画像の読み取り制御の一例を示すフローチャートである。図８に示すフローチャートは、原稿ＯＲの画像読み取り動作の時に、基準画像用部材３０１、及び原稿隣接部材３００の原稿隣接端部領域β並びに原稿ＯＲからの反射光を順次読み取る処理例を示している。
【００６７】
この処理では、図８に示すように、原稿画像の読み取りスタートが指示されるまで待機する（Ｓ１０１：Ｎｏ）。原稿画像の読み取りスタートが指示されると（ステップＳ１０１：Ｙｅｓ）、先ず、第１画像読み取り部１０における光源ユニット１５が副走査方向Ｘに移動し、第２読み取り位置Ｐ２において基準画像用部材３０１を読み取り（Ｓ１０２）、シェーディング補正値を決定する（Ｓ１０３）。
【００６８】
引き続き、第１画像読み取り部１０における光源ユニット１５がさらに副走査方向Ｘに移動し、第１読み取り位置Ｐ１に位置する原稿隣接部材３００の原稿隣接端部領域βの反射光を読み取る（Ｓ１０４）。この原稿隣接端部領域βで読み取った原稿隣接端部領域用出力値に基づき原稿ＯＲの隣接端部領域αに対応する読み取り画像（具体的には原稿ＯＲ先端部の画像）のための補正値を設定する（Ｓ１０５）。例えば、原稿画像をモノクロ画像として読み取る場合、原稿隣接端部領域用出力値が高濃度を示す出力値であった場合、原稿ＯＲの隣接端部領域αへの照射光の照度が少ないため、原稿ＯＲの隣接端部領域αに対応する読み取り画像の濃度を低下（輝度を上昇）させるように補正値を設定する。なお、原稿画像をカラー画像として読み取る場合についても同様に補正値を設定することができる。ここで、原稿隣接端部領域用出力値と補正値との関係は、図６及び図７に示す補正テーブルに予め格納されている。
【００６９】
次に、第１画像読み取り部１０における光源ユニット１５がさらに副走査方向Ｘに移動し、原稿画像の読み取り処理がなされる（Ｓ１０６）。そして、原稿画像の読み取りが完了すると、先ほどの補正テーブルにおいて原稿隣接端部領域用出力値から変換された補正値に基づき、画像処理部１０３により、原稿ＯＲの隣接端部領域αに対応する読み取り画像の補正処理を行う（Ｓ１０７）。例えば、原稿画像をモノクロ画像として読み取る場合、画像処理部１０３により、輝度で示される原稿隣接端部領域用出力値に補正値を加算して、原稿ＯＲの隣接端部領域αに対応する読み取り画像の濃度を低下（輝度を上昇）させる。なお、原稿画像をカラー画像として読み取る場合についても同様に補正することができる。
［動作フローの他の例の説明］
制御部１０１は、前記読み取り手段によって、原稿隣接部材３００の原稿隣接端部領域βからの反射光を原稿隣接端部領域用出力値として読み取り、前記設定手段によって、前記読み取り手段で読み取った原稿隣接端部領域用出力値に基づき、原稿ＯＲの隣接端部領域αに対応する読み取り画像を補正するための補正値を設定する調整モードを備えていてもよい。
【００７０】
図９は、図１及び図２に示す原稿読み取り装置１００において、原稿画像の読み取り制御の他の例を示すフローチャートである。図９（ａ）に示すフローチャートは、前記調整モードによる処理例を示している。図９（ｂ）に示すフローチャートは、前記調整モードにより設定した補正値を用いて、原稿ＯＲの画像読み取り時に原稿ＯＲの隣接端部領域αに対応する読み取り画像を補正する処理例を示している。なお、図９に示すフローチャートにおいて、図８に示す処理と実質的に同じ処理については同一符号を付している。
【００７１】
図９（ａ）に示すフローチャートは、図８に示すフローチャートにおけるステップＳ１０４及びステップＳ１０５を調整モードとして別途設けたものであり、該調整モードが補正値設定のための人為操作の指示によって実行されるようになっている。図９（ｂ）に示すフローチャートは、図８に示すフローチャートからステップＳ１０４及びステップＳ１０５を除去したものである。
【００７２】
即ち、図９（ａ）に示す調整モードでは、この調整モードの実行が指示されるまで待機する（Ｓ１０８：Ｎｏ）。ユーザーやメンテナンス作業者等の人為操作の指示によって所定の時期（例えば、原稿の読み取り枚数が所定枚数に達したとき）に、前記調整モードが実行されると（ステップＳ１０８：Ｙｅｓ）、光源ユニット１５が副走査方向Ｘに移動し、第１読み取り位置Ｐ１に位置する原稿隣接部材３００の原稿隣接端部領域βの反射光を読み取る（Ｓ１０４）。そして、この原稿隣接端部領域βで読み取った原稿隣接端部領域用出力値に基づき原稿ＯＲの隣接端部領域αに対応する読み取り画像（具体的には原稿ＯＲ先端部の画像）のための補正値を設定する（Ｓ１０５）。
【００７３】
一方、図９（ｂ）に示す原稿ＯＲの画像読み取り時には、光源ユニット１５が副走査方向Ｘに移動し、第２読み取り位置Ｐ２において基準画像用部材３０１を読み取り（Ｓ１０２）、シェーディング補正値を決定し（Ｓ１０３）、光源ユニット１５がさらに副走査方向Ｘに移動し、原稿画像の読み取り処理がなされる（Ｓ１０６）。そして、原稿画像の読み取りが完了すると、前記調整モードで設定した補正値に基づき、画像処理部１０３により、原稿ＯＲの隣接端部領域αに対応する読み取り画像の補正処理を行う（Ｓ１０７）。
【図面の簡単な説明】
【００７４】
【図１】本発明の一実施形態に係る原稿読み取り装置の全体の外観を示す斜視図である。
【図２】図１に示す原稿読み取り装置の概略構成を示す断面図である。
【図３】図１及び図２に示す原稿読み取り装置の電気的構成の主要部を概略的に示すブロック図である。
【図４】図１及び図２に示す原稿読み取り装置において、原稿固定方式によって原稿画像を読み取る場合に、原稿隣接部材の原稿に隣接する原稿隣接端部領域からの反射光の読み取り状態を拡大して示す概略図である。
【図５】図１及び図２に示す原稿読み取り装置において、基準画像用部材を備える場合に、該基準画像用部材からの反射光の読み取り状態を拡大して示す概略図である。
【図６】原稿画像をモノクロ画像として読み取る場合での原稿の隣接端部領域に対応する読み取り画像の濃度を補正するための濃度用補正値を原稿隣接端部領域用出力値に対応づけて記憶する濃度補正テーブルを示す図である。
【図７】原稿画像をカラー画像として読み取る場合での原稿の隣接端部領域に対応する読み取り画像の色調を補正するための色調用補正値を原稿隣接端部領域用出力値に対応づけて記憶する色調補正テーブルを示す図である。
【図８】図１及び図２に示す原稿読み取り装置において、原稿画像の読み取り制御の一例を示すフローチャートである。
【図９】図１及び図２に示す原稿読み取り装置において、原稿画像の読み取り制御の他の例を示すフローチャートであって、図（ａ）は、調整モードによる処理例に示すものであり、図（ｂ）は、調整モードにより設定した補正値を用いて、原稿の画像読み取り時に原稿の隣接端部領域に対応する読み取り画像を補正する処理例を示すものである。
【図１０】位置決めされた原稿に光照射して該原稿からの反射光を読み取る従来の原稿読み取り装置の一例における原稿の画像読み取り状態を拡大して示す概略図である。
【符号の説明】
【００７５】
１０            読み取り部
１００          原稿読み取り装置
１１０          制御手段
３００          原稿隣接部材
３０１          基準画像用部材
ＯＲ            原稿
α              原稿の原稿隣接部材との隣接端部領域
β              原稿隣接部材の原稿隣接端部領域
【図１】
2009017375.tif 000003
【図２】
2009017375.tif 000004
【図３】
2009017375.tif 000005
【図４】
2009017375.tif 000006
【図５】
2009017375.tif 000007
【図６】
2009017375.tif 000008
【図７】
2009017375.tif 000009
【図８】
2009017375.tif 000010
【図９】
2009017375.tif 000011
【図１０】
2009017375.tif 000012